(57)【特許請求の範囲】
【請求項１】
単位時間ごとに、音楽再生装置の音楽再生の際に発生する相異なる周波数を有する音響信号に基づいて生じる複数の異なる音圧についての大きさの比較を通じて、単位時間内の全ての音響信号のうち、音圧の大きさが最大である音響信号を選択的に抽出し、単位時間毎の拍子として抽出する拍子抽出部；
前記抽出した拍子の大きさと同一の大きさを有するパルスを発生するパルス発生部；および
使用者の身体に付着され、前記発生したパルスの大きさに相応する強度の電気的磁極を前記使用者の身体に加える一対の電極パッド；
を含むことを特徴とする低周波磁極器。
【請求項２】
前記拍子抽出部は、
使用者から単一音域帯域モードおよび複数音域帯域モードのうちのいずれか一つを選択される帯域モード選択部；
前記単一音域帯域モード選択により、前記単位時間ごとに前記少なくとも一つの音響信号のうち、前記単一音域帯域の周波数を有する一部または全部の間の音圧の大きさの比較を通じて音圧の大きさが最大である単一音域帯域の周波数を有する音響信号を前記拍子として抽出する単一音域帯域拍子抽出部；および
前記複数音域帯域モード選択により、前記単位時間ごとに前記少なくとも一つの音響信号のうち、前記複数音域帯域に属する周波数を有する一部または全部の間の音圧の大きさの比較を通じて音圧の大きさが最大である複数音域帯域に属する周波数を有する音響信号を前記拍子として抽出する複数音域帯域拍子抽出部；
を含むことを特徴とする、請求項１に記載の低周波磁極器。
【請求項３】
前記単一音域帯域拍子抽出部は、
前記単位時間ごとに前記少なくとも一つの音響信号のうち、前記単一音域帯域の周波数を有する一部または全部の音響信号を通過させる単一帯域通過フィルター；
前記単一音域帯域の周波数を有する一部または全部の音響信号をデジタル変換する単一音域アナログ／デジタル変換部；および
デジタル変換された前記一部または全部の音響信号のうち、音圧の大きさが最大である音響信号を前記拍子として抽出する単一音域抽出部；
を含むことを特徴とする、請求項２に記載の低周波磁極器。
【請求項４】
前記単一音域帯域は、周波数が２０〜２００［Ｈｚ］である帯域であることを特徴とする、請求項３に記載の低周波磁極器。
【請求項５】
前記複数音域帯域拍子抽出部は、
前記少なくとも一つの音響信号のうち、前記第１音域帯域の周波数を有する一部または全部の音響信号を通過させる第１帯域通過フィルター；
前記少なくとも一つの音響信号のうち、前記第２音域帯域の周波数を有する一部または全部の音響信号を通過させる第２帯域通過フィルター；
前記少なくとも一つの音響信号のうち、前記第３音域帯域の周波数を有する一部または全部の音響信号を通過させる第３帯域通過フィルター；
前記第１音域帯域の周波数を有する一部または全部の音響信号、前記第２音域帯域の周波数を有する一部または全部の音響信号および前記第３音域帯域の周波数を有する一部または全部の音響信号をそれぞれデジタル変換する複数帯域アナログ／デジタル変換部；および
デジタル変換された前記第１音域帯域の周波数を有する一部または全部の音響信号、前記第２音域帯域の周波数を有する一部または全部の音響信号および前記第３音域帯域の周波数を有する一部または全部の音響信号のうち、音圧の大きさが最大である音響信号を前記拍子として抽出する複数帯域抽出部；
を含むことを特徴とする、請求項２に記載の低周波磁極器。
【請求項６】
前記第１音域帯域は、周波数が２０〜１００［Ｈｚ］である帯域であり、前記第２音域帯域は、周波数が１０１〜２００［Ｈｚ］である帯域であり、前記第３音域帯域は、周波数が２０１〜７００［Ｈｚ］である帯域であることを特徴とする、請求項５に記載の低周波磁極器。
【請求項７】
前記単位時間は、０．０５乃至０．１秒であることを特徴とする、請求項２に記載の低周波磁極器。
【請求項８】
請求項１乃至７のいずれか一項に記載の低周波磁極器；および
前記低周波磁極器の一対の電極パッドを通じて測定された使用者の身体インピーダンスを用いて使用者の体脂肪を求める体脂肪測定部；
を含むことを特徴とするダイエットシステム。
【発明の詳細な説明】
【技術分野】
【０００１】
本発明は、低周波磁極器および低周波磁極器を備えたダイエットシステムに関し、より詳しくは、再生される音楽により発生する音響信号からビットを抽出して前記ビットの大きさに相応する強度の電気的磁極を電極パッドを通じて使用者の身体に加え、前記電極パッドを通じて使用者の体脂肪を測定することができる技術に関する。
【背景技術】
【０００２】
低周波磁極器は、正常血液循環と急性および慢性痛の緩和、疲労回復、筋力増進作用、筋肉強制運動のために使用される機器であって、所定の電源エネルギーを低周波パルスに変調した後、その低周波パルスを増幅して一対の導電性電極（電極パッド）に供給し、前記一対の電極パッドを使用者の身体に接触させて、使用者の身体に電気的磁極を起こすことによって治療効果またはダイエット（ｄｉｅｔ）効果を得ることができるようにする装置である。
【０００３】
低周波磁極器は、このような電気的磁極を起こすことに必要な低周波を発生するために、低周波発生装置をその内部に内蔵しており、発生した低周波を一対の電極パッドに送ると一側の電極パッドで使用者の身体を経て他側の電極パッドに電流が流れるようになり、その過程で一対の電極パッドの間に位置した使用者の身体に電気的磁極を発生させるようになる原理を用いたものである。
【０００４】
このような低周波磁極器は、低周波発生装置で多様な形態の低周波を発生させるように改良されてきており、かかる形態の低周波を周期的且つ反復的に発生させて使用している。
【０００５】
このような低周波磁極器は、肩、腰、膝、足首などの運動後筋肉痛を緩和したり筋肉強化を通じてダイエットなどに使用されるが、叩きモード、マッサージモード、揉みモード、自動モードの４種類のモード、筋肉に加えられる磁極の速度を調節する機能、自動節電機能などを備えている。
【０００６】
しかし、従来の低周波磁極器は、携帯用低周波磁極器の動作モードなどの表示にＬＥＤを用いるため、使用者はＬＥＤの点滅状態がいかなる動作モードを表示するかを使用説明書などを通じて一々把握しなければならない不便さを持つ。
【０００７】
また、従来の低周波磁極器は、内部に内蔵されたプログラムに基づいて一律的に低周波を発生するため、使用者は最初使用する際には興味を感じることもできるが、反復的に使用することに伴って、同一の低周波治療を行うようになって使用者が興味を失うようになる短所を有する。つまり、従来の低周波磁極器は、設定された動作モード、例えば叩きモードに相応する低周波を発生して治療が終るまで使用者の筋肉に同一の磁極を反復して与えるため、使用者が低周波磁極器を反復して使用する場合に心理的に退屈さを感じるという短所を有する。
【０００８】
また、医学的に従来の低周波磁極器の場合には、使用初期には効果が良好であるが、頻繁に使用するようになると、使用者の人体が同一の低周波パルスパターンの電気的磁極に耐性ができて治療効果またはダイエット効果が低下するという問題点が発生する。
【０００９】
これを改善するために、多様なパルスパターンを用いて使用者の身体に電気的な磁極を加える低周波磁極器が提示されているが、多様なパルスパターンが使用されるだけであり、これも頻繁に使用すれば使用者の人体が多様なパルスパターンによる電気的磁極にも耐性を持って治療効果またはダイエット効果が低下するという問題点が発生する。本発明と関連した先行文献としては、特許文献１（登録日：２００５年０２月２８日）がある。
【先行技術文献】
【特許文献】
【００１０】
【特許文献１】大韓民国登録特許第１０−０４７５６７６号
【発明の概要】
【発明が解決しようとする課題】
【００１１】
再生される音楽で多様に変化するビットの大きさに相応する強度の電気的磁極を使用者の身体に加える低周波磁極器が提案される。
【００１２】
再生される音楽で多様に変化するビットの大きさに相応する強度の電気的磁極を電極パッドを通じて使用者の身体に加える低周波磁極器を用いて使用者の筋肉を強制運動させた後、前記低周波磁極器の電極パッドを通じて使用者の体脂肪を測定することができるようにしたダイエットシステムが提案される。
【００１３】
本発明の解決しようとする課題は、以上で言及した課題に制限されず、言及されていない他の課題は以下の記載から当業者に明確に理解されるはずである。
【課題を解決するための手段】
【００１４】
本発明の一様相による低周波磁極器は、音楽再生装置の音楽再生の際に発生する相異なる周波数を有する少なくとも一つの音響信号の間の音圧の大きさの比較を通じてビットを抽出するビット抽出部；前記抽出したビットの大きさと同一の大きさを有するパルスを発生するパルス発生部；および使用者の身体に付着され、前記発生したパルスの大きさに相応する強度の電気的磁極を前記使用者の身体に加える一対の電極パッド；を含む。
【００１５】
前記ビット抽出部は、使用者から単一音域帯域モードおよび複数音域帯域モードのうちのいずれか一つを選択される帯域モード選択部；前記単一音域帯域モード選択により、単位時間ごとに前記少なくとも一つの音響信号のうち、前記単一音域帯域の周波数を有する一部または全部の間の音圧の大きさの比較を通じて音圧の大きさが最大である単一音域帯域の周波数を有する音響信号を前記ビットで抽出する単一音域帯域ビット抽出部；および前記複数音域帯域モード選択により、前記単位時間ごとに前記少なくとも一つの音響信号のうち、前記複数音域帯域に属する周波数を有する一部または全部の間の音圧の大きさの比較を通じて音圧の大きさが最大である複数音域帯域に属する周波数を有する音響信号を前記ビットで抽出する複数音域帯域ビット抽出部；を含む。
【００１６】
前記単一音域帯域ビット抽出部は、前記単位時間ごとに前記少なくとも一つの音響信号のうち、前記単一音域帯域の周波数を有する一部または全部の音響信号を通過させる単一帯域通過フィルター；前記単一音域帯域の周波数を有する一部または全部の音響信号をデジタル変換する単一音域アナログ／デジタル変換部；およびデジタル変換された前記一部または全部の音響信号のうち、音圧の大きさが最大である音響信号を前記ビットで抽出する単一音域抽出部；を含むことができる。
【００１７】
前記単一音域帯域は、周波数が２０〜２００［Ｈｚ］である帯域であり得る。
【００１８】
前記複数音域帯域ビット抽出部は、前記少なくとも一つの音響信号のうち、前記第１音域帯域の周波数を有する一部または全部の音響信号を通過させる第１帯域通過フィルター；前記少なくとも一つの音響信号のうち、前記第２音域帯域の周波数を有する一部または全部の音響信号を通過させる第２帯域通過フィルター；前記少なくとも一つの音響信号のうち、前記第３音域帯域の周波数を有する一部または全部の音響信号を通過させる第３帯域通過フィルター；前記第１音域帯域の周波数を有する一部または全部の音響信号、前記第２音域帯域の周波数を有する一部または全部の音響信号および前記第３音域帯域の周波数を有する一部または全部の音響信号をそれぞれデジタル変換する複数帯域アナログ／デジタル変換部；およびデジタル変換された前記第１音域帯域の周波数を有する一部または全部の音響信号、前記第２音域帯域の周波数を有する一部または全部の音響信号および前記第３音域帯域の周波数を有する一部または全部の音響信号のうち、音圧の大きさが最大である音響信号を前記ビットで抽出する複数帯域抽出部；を含むことができる。
【００１９】
前記第１音域帯域は、周波数が２０〜１００［Ｈｚ］である帯域であり、前記第２音域帯域は、周波数が１０１〜２００［Ｈｚ］である帯域であり、前記第３音域帯域は、周波数が２０１〜７００［Ｈｚ］である帯域であり得る。
【００２０】
前記単位時間は、０．０５乃至０．１秒であり得る。
【００２１】
本発明の他の様相によるダイエットシステムは、前記低周波磁極器；および前記低周波磁極器の一対の電極パッドを通じて測定された使用者の身体インピーダンスを用いて使用者の体脂肪を求める体脂肪測定部；を含む。
【発明の効果】
【００２２】
本発明の実施例によれば、再生される音楽で多様に変化するビットの大きさに相応する強度の電気的磁極を使用者の身体に加えることによって、使用者は時間の流れに従って多様に変化するビットに相応する大きさの振動を体感するようになるため、治療が終るまで退屈さを感じることなく治療を受けることができる。
【００２３】
また、再生される音楽で多様に変化するビットの大きさに相応する強度の電気的磁極を使用者の身体に加えることによって、同一の低周波パルスパターンによる電気的磁極が使用者の人体に反復的に加えられる場合に、使用者の人体にできる同一の電気的磁極に対する耐性により治療効果またはダイエット効果が低下することを防止することができるようになる。
【００２４】
また、再生される音楽で多様に変化するビットの大きさに相応する強度の電気的磁極を電極パッドを通じて使用者の身体に加える低周波磁極器を用いて使用者の筋肉を強制運動させた後、前記低周波磁極器の電極パッドを通じて使用者の体脂肪を測定することができるようにすることによって、別途の体脂肪測定器がなくても筋肉運動前後の体脂肪を測定することができるようになる。
【図面の簡単な説明】
【００２５】
【図１】本発明の実施例による低周波磁極器の構成を示した図面である。
【図２】図１の低周波磁極器とモバイル機器との連結を示した斜視図である。
【図３】図１のビット抽出部の詳細構成を示した図面である。
【図４】図３の単一音域帯域ビット抽出部の構成を示した図面である。
【図５】図３の複数音域帯域ビット抽出部の構成を示した図面である。
【図６】本発明の実施例によるダイエットシステムの構成を示した図面である。
【図７】図６のダイエットシステムとモバイル機器との連結関係を例示した斜視図である。
【図８】低周波磁極器の一対の電極パッドが付着される身体の部分を例示した図面である。
【発明を実施するための形態】
【００２６】
以下、添付図面を参照して本発明の実施例を詳しく説明する。本発明の実施例の説明において、公知となった機能または構成についての具体的な説明が本発明の要旨を不明確にし得ると判断される場合にはその詳細な説明を省略する。また、後述する用語は本発明での機能を考慮して定義された用語であって、これは使用者、運用者の意図または慣例などにより変わり得る。したがって、その定義は本明細書全般にわたった内容に基づいて下されるべきである。
【００２７】
図１は、本発明の実施例による低周波磁極器のブロック構成図であり、図２は、図１の低周波磁極器とモバイル機器との連結関係を例示した斜視図である。
【００２８】
図１および図２を参照すれば、本発明による低周波磁極器２０は、ビット抽出部３０、パルス発生部４０および電極パッド５０を含む。
【００２９】
ビット抽出部３０は、音楽再生装置の音楽再生の際に発生する相異なる周波数を有する少なくとも一つの音響信号の間の音圧の大きさの比較を通じてビットを抽出する。
【００３０】
この時、前記音楽再生装置は、モバイル機器１０または低周波磁極器２０内に備えられた音楽再生装置（図示せず）であり得る。これによって、音楽の音源はモバイル機器１０内に保存されていたり低周波磁極器２０内に保存されていてもよい。
【００３１】
モバイル機器１０で再生される音楽の音響信号が低周波磁極器２０のビット抽出部３０に提供されるためには、モバイル機器１０と低周波磁極器２０との間にインターフェースが備えられなければならない。前記インターフェースは、モバイル機器１０で再生される音楽の音響信号が低周波磁極器２０に提供されるようにする役割を果たす。この時、モバイル機器１０は、スマートフォン、携帯電話、ノートパソコン、ＰＭＰ、ＭＰ３などであり得る。
【００３２】
実施例としてモバイル機器１０がアンドロイドフォンである場合、モバイル機器１０で再生される音楽により発生する音響信号は、モバイル機器１０のイヤホン端子に連結されたイヤホンケーブルまたはモバイル機器１０のブルートゥースモジュールを通じて低周波磁極器２０のビット抽出部３０に提供され得る。これに相応してビット抽出部３０は、モバイル機器１０に連結されたイヤホンケーブルと連結されるためのイヤホン端子を備えたりブルートゥースモジュールを備えることができる。このようなイヤホン端子またはブルートゥースモジュールは、ビット抽出部３０でない低周波磁極器２０内に別途に備えられ得る。
【００３３】
一方、モバイル機器１０がアップル社のアイフォンである場合、モバイル機器１０で再生される音楽により発生する音響信号は、モバイル機器１０のコネクタピンに締結されたコネクタまたはモバイル機器１０のブルートゥースモジュールを通じて低周波磁極器２０のビット抽出部３０に提供され得る。これに相応してビット抽出部３０は、モバイル機器１０に連結された３０ピンコネクタが締結されるコネクタ端子を備えたりブルートゥースモジュールを備えることができる。このようなコネクタ端子またはブルートゥースモジュールは、ビット抽出部３０でない低周波磁極器２０内に別途に備えられ得る。
【００３４】
低周波磁極器２０は、使用者が携帯可能な携帯用または病院などのような場所に固定して使用される固定型であり得る。低周波磁極器２０が携帯用である場合、低周波磁極器２０の動作電源は低周波磁極器２０内に備えられたバッテリーから備えられたりモバイル機器１０から提供され得る。この時、モバイル機器１０がアンドロイドフォンである場合、モバイル機器１０のＵＳＢ端子に締結されたＵＳＢケーブルを通じて低周波磁極器２０に動作電源が供給され得る。これに相応して低周波磁極器２０は、モバイル機器１０から提供される動作電源を供給されるためにＵＳＢ端子を備えていなければならない。一方、モバイル機器１０がアイフォンである場合、モバイル機器１０のコネクタピンに締結されたコネクタを通じて低周波磁極器２０に動作電源が供給され得る。これに相応して低周波磁極器２０は、モバイル機器１０から提供される動作電源を供給されるためにコネクタ端子を備えていなければならない。
【００３５】
このように低周波磁極器２０は、モバイル機器１０の種類に応じて変わるインターフェース（イヤホン端子、ＵＳＢ端子、ブルートゥースモジュール、コネクタ端子）を全て備えたり一つのモバイル機器種類と連結されるインターフェースのみ、例えばアンドロイドフォンである場合、音響信号の受信のためにイヤホン端子またはブルートゥースモジュールと動作電源の供給のためにＵＳＢ端子を備えることができ、アイフォンである場合、コネクタ端子を備えることができる。
【００３６】
一般に音楽にはリズム、メロディ、テンポ、拍子、ビットなどの多様な要素があるが、これについては簡単に説明する。
【００３７】
リズムは、「ダンダダ」、「ダンダダ」のような式で音符の長さを調節して多様な感じを表現することを意味する。
【００３８】
メロディは、「ソララソソミソソミミレ」のような式で音程の差とリズムを用いて作られたパターンを意味する。
【００３９】
テンポは、曲の速さを示す。
【００４０】
拍子について説明する。例えば、４分の４拍子とは、一小節に４分音符が４つあることを意味し、８分の６拍子は、８分音符が６つあることを意味する。
【００４１】
ビットは、拍子と同一の意味として使われるが、一般に一小節をいくつかの音符で割ったかを意味する。例えば、４分の４拍子の曲で一小節を８分音符８つで割ったものを８ビット、一小節を１６分音符１６つで割ったものを１６ビットという。言い換えれば、ビットは、基本拍子で強迫を示し、ビットを与える楽器としては、ベースドラム、ベースギター、その他低音楽器などがある。
【００４２】
これに対して４分の３拍子のワルツを基準により詳しく説明すると、リズムは、「ララルラララルラ」のようであり、拍子は、「ブンチャッチャッ」のようであり、ビットは、「ブン…ブン…」のようである。
【００４３】
このように本発明の実施例による低周波磁極器２０は、音楽のビットという要素を抽出して低周波パルスに変換後、使用者の身体に電気的磁極を加えるため、使用者が多様な音楽を用いる場合、リアルタイムに変化する電気的磁極を受けながら治療を受けることができ、治療が終るまで退屈さを感じないことができる。
【００４４】
このようなビット抽出部３０の詳細構成が図３に示されている。図３を参照すれば、ビット抽出部３０は、帯域モード選択部３００、単一音域帯域ビット抽出部３１０および複数音域帯域ビット抽出部３２０を含む。
【００４５】
帯域モード選択部３００は、使用者から単一音域帯域モードおよび複数音域帯域モードのうちのいずれか一つを選択される。帯域モード選択部３０は、低周波磁極器２０に単音音域帯域モードキー（図示せず）および複数音域帯域モードキー（図示せず）を備え、使用者は、それぞれのキー選択を通じて単一音域帯域モードを選択したり複数音域帯域モードを選択することができる。これは一実施例に過ぎず、これに限定されない。
【００４６】
単一音域帯域ビット抽出部３１０は、帯域モード選択部３００を通じて使用者が単一音域帯域モードを選択することによって、単位時間ごとに前記少なくとも一つの音響信号のうち、前記単一音域帯域の周波数を有する一部または全部の間の音圧の大きさの比較を通じて音圧の大きさが最大である単一音域帯域の周波数を有する音響信号を前記ビットで抽出する。
【００４７】
この単一音域帯域ビット抽出部３１０は、図４に示されているように、単一帯域通過フィルター（単一ＢＰＦ）３１１、単一音域アナログ／デジタル変換部（単一音域Ａ／Ｄ）３１２および単一音域抽出部３１３を含む。
【００４８】
単一帯域通過フィルター３１１は、前記単位時間ごとに前記少なくとも一つの音響信号のうち、前記単一音域帯域の周波数を有する一部または全部の音響信号を通過させる。
【００４９】
単一音域アナログ／デジタル変換部３１２は、前記単一音域帯域の周波数を有する一部または全部の音響信号をデジタル変換する。
【００５０】
単一音域抽出部３１３は、前記単一音域アナログ／デジタル変換部３１２でデジタル変換された前記一部または全部の音響信号のうち、音圧の大きさが最大である音響信号を前記ビットで抽出する。
【００５１】
この時、単一音域帯域は、周波数が２０〜２００［Ｈｚ］である帯域であり得るが、これに限定されず、使用者の選択によって可変され得る。単一音域帯域の周波数範囲は使用者の選択によってのみならず、多様な方法によって可変され得る。また、単位時間は０．０５乃至０．１秒であり得るが、単位時間の範囲は、これに限定されず、使用者の選択によって可変され得る。単位時間の範囲は、使用者の選択によってのみならず、多様な方法によって可変され得る。
【００５２】
再び図３で複数音域帯域ビット抽出部３２０は、帯域モード選択部３００を通じて使用者複数音域帯域モードを選択することによって、前記単位時間ごとに前記少なくとも一つの音響信号のうち、前記複数音域帯域に属する周波数を有する一部または全部の間の音圧の大きさの比較を通じて音圧の大きさが最大である複数音域帯域に属する周波数を有する音響信号を前記ビットで抽出する。
【００５３】
このような複数音域帯域ビット抽出部３２０の構成に対する実施例が図５に示されている。図５を参照すれば、複数音域帯域ビット抽出部３２０は、第１帯域通過フィルター（ＢＰＦ１）３２１、第２帯域通過フィルター（ＢＰＦ２）３２２、第３帯域通過フィルター（ＢＰＦ３）３２３、複数帯域アナログ／デジタル変換部（複数帯域Ａ／Ｄ）３２４および複数帯域抽出部３２５を含む。
【００５４】
第１帯域通過フィルター３２１は、前記少なくとも一つの音響信号のうち、第１音域帯域の周波数を有する一部または全部の音響信号を通過させる。この時、第１音域帯域は、周波数が２０〜１００［Ｈｚ］である帯域であり得るが、これに限定されず、使用者の選択によって可変され得る。また、第１音域帯域の周波数範囲は、使用者の選択によってのみならず、多様な方法によっても可変され得る。
【００５５】
第２帯域通過フィルター３２２は、前記少なくとも一つの音響信号のうち、第２音域帯域の周波数を有する一部または全部の音響信号を通過させる。この時、第２音域帯域は、周波数が１０１〜２００［Ｈｚ］である帯域であり得るが、これに限定されず、使用者の選択によって可変され得る。また、第２音域帯域の周波数範囲は、使用者の選択によってのみならず、多様な方法によっても可変され得る。
【００５６】
第３帯域通過フィルター３２３は、前記少なくとも一つの音響信号のうち、第３音域帯域の周波数を有する一部または全部の音響信号を通過させる。この時、第３音域帯域は、周波数が２０１〜７００［Ｈｚ］である帯域であり得るが、これに限定されず、使用者の選択によって可変され得る。また、第３音域帯域の周波数範囲は、使用者の選択によってのみならず、多様な方法によっても可変され得る。
【００５７】
複数帯域アナログ／デジタル変換部３２４は、第１音域帯域の周波数を有する一部または全部の音響信号、第２音域帯域の周波数を有する一部または全部の音響信号および第３音域帯域の周波数を有する一部または全部の音響信号をそれぞれデジタル変換する。
【００５８】
複数帯域抽出部３２５は、複数帯域アナログ／デジタル変換部３２４でデジタル変換された第１音域帯域の周波数を有する一部または全部の音響信号、第２音域帯域の周波数を有する一部または全部の音響信号および第３音域帯域の周波数を有する一部または全部の音響信号のうち、音圧の大きさが最大である音響信号を前記ビットで抽出する。
【００５９】
このように複数帯域抽出部３２５は、単位時間ごとに複数帯域の相異なる周波数を有する音響信号のうち、音圧の大きさが最大である音響信号をビットで抽出する。これによって、複数帯域抽出部３２５は、音楽再生装置で再生される音楽により発生する音響信号が単位時間の間に１つのみが入ったり複数の音響信号が入った場合にも、音圧の大きさの比較を通じてビットを抽出することができるようになる。
【００６０】
再び図１を参照すれば、パルス発生部４０は、前記ビット抽出部３０が抽出したビットの大きさと同一の大きさを有するパルスを発生して電極パッド５０に印加する。
【００６１】
一対の電極パッド５０は、使用者の身体に付着され、前記パルス発生部５０で印加されるパルスの大きさに相応する強度の電気的磁極を前記使用者の身体に加える。この時、図３の単一音域帯域ビット抽出部３１０が２０〜２００［Ｈｚ］である帯域周波数を有する音響信号をビットで抽出し、これをパルスに変換して一対の電極パッドを通じて使用者の身体に加える場合、使用者は「叩き」の磁極を受けるようになる効果をもたらす。一方、図３の複数音域帯域ビット抽出部３２０が２０〜１００［Ｈｚ］である帯域周波数を有する音響信号をビットで抽出し、これをパルスに変換して一対の電極パッドを通じて使用者の身体に加える場合、使用者の「叩き」の磁極を受けるようになる効果をもたらす。複数音域帯域ビット抽出部３２０が１０１〜２００［Ｈｚ］である帯域周波数を有する音響信号をビットで抽出し、これをパルスに変換して一対の電極パッドを通じて使用者の身体に加える場合、使用者の「揉み」の磁極を受けるようになる効果をもたらす。複数音域帯域ビット抽出部３２０が２０１〜７００［Ｈｚ］である帯域周波数を有する音響信号をビットに抽出し、これをパルスに変換して一対の電極パッドを通じて使用者の身体に加える場合、使用者の「押し」の磁極を受けるようになる効果をもたらす。
【００６２】
従来の低周波磁極器は治療が終るまで低周波を発生して使用者の筋肉に同一の磁極を反復して与えて使用者が低周波磁極器を反復して使用する場合に退屈さを感じる反面、本発明の実施例による低周波磁極器は、多様な音楽の音響信号からビットを抽出し、前記抽出したビットの大きさに相応する低周波パルスを発生して電極パッドを通じて使用者の身体に電気的磁極を加えるため、使用者は時間により多様に変化するビットに相応する大きさの振動を体感するようになって治療が終るまで退屈さを感じることなく治療を受けることができるようにする。
【００６３】
本発明の実施例による低周波磁極器２０の構成は、再生される音楽の音響信号からビットを自動的に抽出し、抽出されたビットの大きさに相応する低周波パルスを発生した後、一対の電極パッドを通じて使用者の身体を電気的に刺激することに関するものである。これに加えて、一対の電極パッドに印加される低周波パルスは、使用者により手動入力された情報に基づいて発生し得る。このために、低周波磁極器２０は、電極パッドに印加される低周波パルスの種類を選択するための低周波パルス選択部（図示せず）、低周波パルスの大きさを調節するための大きさ調節手段（図示せず）および前記低周波パルス選択部により選択された低周波パルスを前記大きさ調節手段で調節された大きさを有するように発生して一対の電極パッドに印加する低周波発生部（図示せず）をさらに含むことができる。したがって、使用者は、音楽を再生しながら自動または直接手動設定した条件に基づいて低周波治療を受けることができるようになる。
【００６４】
また、低周波磁極器２０は、低周波パルスの大きさを表示する表示部２１を備えることができ、前記表示部２１は、複数のＬＥＤ２２から構成され得る。これによって、使用者は低周波治療を受けながら電極パッドに印加される低周波パルスの大きさがどの程度であるかを把握できるようになる。他の実施例として、一対の電極パッドに印加される低周波パルスの大きさをモバイル機器１０の画面１５を通じても出力することができる。このために、低周波磁極器２０は、低周波パルスの大きさ情報をモバイル機器１０に伝送すると、モバイル機器１０が低周波磁極器２０から受信した低周波パルスの大きさ情報を画面１５に出力することもできる。
【００６５】
図６は、本発明の実施例によるダイエットシステムの構成を示した図面であり、図７は、図６のダイエットシステムとモバイル機器との連結関係を例示した斜視図である。
【００６６】
図６および図７を参照すれば、本発明の実施例によるダイエットシステム７０は、低周波磁極器２０と体脂肪測定部６０を含む。この時、体脂肪測定部６０は、低周波磁極器２０内の電極パッド５０と電気的に連結される。そして、低周波磁極器２０は、図２を参照すれば、別途のケースを有する形態で製作されたが、ダイエットシステム７０に含まれる場合に印刷回路基板に具現されてダイエットシステム７０内部に設置され得る。つまり、ダイエットシステム７０は、上述した低周波磁極器２０内のすべての構成を含むことができる。
【００６７】
また、ダイエットシステム７０は、図示されてはいないが、使用者が低周波磁極モードと体脂肪測定モードを選択することができる選択部（図示せず）をさらに備えることができる。つまり、使用者は、前記選択部を通じて低周波磁極モードおよび体脂肪測定モードを選択することができるようになる。前記選択部は、ダイエットシステム７０に備えられてもよいが、モバイル機器１０に備えられてもよいことは当然である。
【００６８】
前記選択部で低周波磁極モードが選択された状態で音楽再生装置で再生される音楽の音響信号が入力されると、低周波磁極器２０は、単位時間ごとに音響信号の音圧の大きさの比較を通じてビットを抽出してビットの大きさに相応するパルスを発生した後、一対の電極パッド５０を通じて使用者の身体に電気的磁極を与え、ビット抽出部３０、パルス発生部４０および電極パッド５０からなることができる。これについての説明は上述したため省略する。
【００６９】
前記選択部で体脂肪測定モードが選択されると、体脂肪測定部６０は、前記低周波磁極器２０の一対の電極パッド５０を通じて測定された使用者の身体インピーダンスを用いて使用者の体脂肪を求める。次に、前記測定された使用者の身体インピーダンスを用いて使用者の体脂肪を求めることについて簡単に説明する。体脂肪測定は５円柱モデル技法に準じて測定され得る。まず、体脂肪測定部６０は、図８に示したように、５円柱モデル技法による身体部分、例えば両手８０、８１、両足８２、８３のそれぞれに付着された一対の電極パッド５０を通じて使用者の身体に弱い電流を印加する。これによって、電気は使用者の身体中の伝導性が高い水（体水分）に沿って流れるようになる。使用者の身体中に水が多ければ電気が流れる通路が広くなり、水が少なければ電気が流れる通路が狭くなるようになる。これを人体抵抗、つまり、身体インピーダンスという測定値で示す。これによって、体脂肪測定部６０は、低周波磁極器２０の両手８０、８１、両足８２、８３のそれぞれに付着された電極パッド５０を通じて使用者の身体インピーダンスを測定することができるようになる。つまり、両手８０、８１の間の身体インピーダンス、図面を見た時、右手８１と右足８３の間の身体インピーダンス、右手８１と左足８２の間の身体インピーダンス、左手８０と左足８２の間の身体インピーダンス、左手８０と右足８３の間の身体インピーダンス、右足８３と左足８２の間の身体インピーダンスを求め、これらを全て合わせて使用者の身体インピーダンスを求めることができる。
【００７０】
以降、体脂肪測定部６０は、使用者伸長の自乗を前記使用者の身体インピーダンスで割る値に定数を掛けて体水分量を求めた後、前記体水分量を用いて使用者の蛋白質量と無機質量を推定する。人体で水分、蛋白質、無機質、体脂肪の量は、５５：２０：２０：５の比率に区分される。したがって、体水分量を求めた後、前記比例関係により使用者の蛋白質量を計算し、再び無機質量を計算する。以降、使用者の全体体重で水分、蛋白質量、無機質量を全て除けば、体脂肪量、つまり、体脂肪情報を算出することができるようになる。
【００７１】
体脂肪測定部６０は、算出した体脂肪情報をモバイル機器１０の画面１５を通じて使用者に出力することができる。これと異なる実施例として、ダイエットシステム７０がディスプレー装置（図示せず）を備えて前記体脂肪情報をディスプレー装置の画面に出力することができる。
【００７２】
したがって、前記ダイエットシステム７０を通じて使用者は人体に微弱な低周波電気刺激で筋肉を直接マッサージし、神経を鎮静させ、血行を促進させて筋肉痛による急性および慢性痛の緩和を助けるようになる。また、人体の脂肪細胞および過栄養筋細胞（筋肉を構成する基本単位であって、複数の筋原繊維からなる）を低周波電気刺激を通じて筋肉マッサージおよび脂肪層まで軽快な音楽ビットを通じて運動させて所望の部位の脂肪細胞を分解することができるようになる。そして、身体に付着された一対の電極パッド（導電性パッド）を通じて低周波電気刺激を通じた筋肉運動前後の体脂肪を簡便に測定することができるようになる。
【００７３】
以上で本発明について実施例を中心に説明した。本発明が属する技術分野における通常の知識を有する者は本発明の本質的な特性から逸脱しない範囲で変形された形態で具現され得ることを理解できるはずである。したがって、開示された実施例は、限定的な観点でなく、説明的な観点で考慮されるべきである。したがって、本発明の範囲は、前述した実施例に限定されず、特許請求の範囲に記載された内容およびそれと同等な範囲内にある多様な実施形態が含まれるように解釈されなければならない。
【産業上の利用可能性】
【００７４】
本発明は、医療機器の開発分野に利用され得る。
【図１】
0005938098.tif 000002
【図２】
0005938098.tif 000003
【図３】
0005938098.tif 000004
【図４】
0005938098.tif 000005
【図５】
0005938098.tif 000006
【図６】
0005938098.tif 000007
【図７】
0005938098.tif 000008
【図８】
0005938098.tif 000009